【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
搬送手段による搬送を伴いながら記録手段からインクが付与されることによって記録が行われる記録媒体を保持可能なアダプタトレイを保持するためのトレイであって、
前記記録媒体を保持可能な保持領域と、前記保持領域に隣接する位置に配されたインクの吸収部と、を有するアダプタトレイを、前記吸収部が前記記録手段側に露出するように着脱可能に保持するアダプタトレイ保持部を備えることを特徴とするトレイ。
【請求項２】
前記アダプタトレイは前記記録媒体を嵌め込み可能な嵌め込み部を有し、前記保持領域は前記嵌め込み部内の領域であることを特徴とする請求項１に記載のトレイ。
【請求項３】
前記吸収部は、前記保持領域の周囲に位置することを特徴とする請求項１または２に記載のトレイ。
【請求項４】
前記保持領域は、前記アダプタトレイの一方の面の第１保持領域と、前記トレイの他方の面の第２保持領域と、を含み
前記吸収部は、前記第１保持領域および前記第２保持領域の各々に隣接する位置に設けられていることを特徴とする請求項１から３のいずれか１項に記載のトレイ。
【請求項５】
前記アダプタトレイは、縁なし記録の実施回数に関する情報を記録可能な情報記録部を備えることを特徴とする請求項１から４のいずれか１項に記載のトレイ。
【請求項６】
前記情報記録部は、１つのアダプタトレイを用いて実施可能な前記縁なし記録の実施可能回数に関する情報と、前記１つのアダプタトレイを用いて実施された前記縁なし記録の実施回数に関する情報と、の記録が可能であることを特徴とする請求項５に記載のトレイ。
【請求項７】
請求項１から６のいずれかに記載のトレイと、前記記録手段と、前記搬送手段とを有し、
前記アダプタトレイに保持された記録媒体に、前記記録手段によって画像を縁なし記録することを特徴とする記録装置。
【請求項８】
請求項５または６に記載のトレイと、
前記アダプタトレイに保持された記録媒体に、インクよって画像を縁なし記録する記録部と、
前記情報記録部に記録された前記情報を読み取る読み取り部と、
を備えることを特徴とする記録装置。
【請求項９】
前記記録部は、前記読み取り部によって読み取られた前記情報に基づいて、前記縁なし記録を実施する毎に、前記縁なし記録の実施回数に関する情報を前記情報記録部に記録することを特徴とする請求項８に記載の記録装置。
【請求項１０】
前記情報記録部には、１つのアダプタトレイを用いて実施可能な前記縁なし記録の実施可能回数に関する情報と、前記１つのアダプタトレイを用いて実施された前記縁なし記録の実施回数に関する情報と、が記録され、
前記読み取り部は、前記情報記録部から、前記実施可能回数に関する情報と前記実施回数に関する情報を読み取り、
前記記録装置は、前記実施可能回数から前記実施回数を減じた残りの実施可能回数に関する情報を算出する情報処理部をさらに備えることを特徴とする請求項８または９に記載の記録装置。
【請求項１１】
前記情報記録部に記録された前記情報、および前記残りの実施可能回数に関する情報のうちの少なくとも一方を表示する表示部をさらに備えることを特徴とする請求項１０に記載の記録装置。
【請求項１２】
請求項１０または１１に記載の記録装置に接続される情報処理装置であって、
前記記録装置から、前記実施可能回数に関する情報、および前記実施回数に関する情報を取得する情報取得部と、
前記実施可能回数から前記実施回数を減じた残りの実施可能回数に関する情報を算出する情報処理部と、
前記情報記録部に記録された前記情報、および前記残りの実施可能回数に関する情報のうちの少なくとも一方を表示する表示部と、
を備えることを特徴とする情報処理装置。
【請求項１３】
記録媒体を保持可能な保持領域と、前記保持領域に隣接する位置に配されたインクの吸収部と、を有するアダプタトレイを、前記吸収部を露出させるようにトレイに装着する工程と、
前記トレイの所定方向の搬送を伴いながら、前記保持領域に保持された前記記録媒体に前記吸収部が露出する方向からインクを付与することによって、前記保持領域に保持された前記記録媒体に縁なし記録を行う工程と、
を含むことを特徴とする記録方法。
【請求項１４】
搬送手段による搬送を伴いながら記録手段からインクが付与されることによって記録が行われる記録媒体を保持可能な保持領域と、前記保持領域に隣接して位置するインクの吸収部と、縁なし記録の実施回数に関する情報を記録可能な情報記録部と、を備えるアダプタトレイの前記情報記録部から、１つのアダプタトレイを用いて実施可能な前記縁なし記録の実施可能回数に関する情報と、前記１つのアダプタトレイを用いて実施された前記縁なし記録の実施回数に関する情報と、を読み出す工程と、
前記実施可能回数から前記実施回数を減じた残りの実施可能回数に関する情報を算出する算出工程と、
前記情報記録部に記録された前記情報、および前記残りの実施可能回数に関する情報のうちの少なくとも一方を表示する表示工程と、
を含むことを特徴とする情報処理方法。
【請求項１５】
請求項１４に記載の情報処理方法を実行するためのプログラムコードが記憶された記憶媒体。
【請求項１６】
搬送手段によって搬送される搬送トレイに着脱可能であり、前記搬送手段による前記搬送トレイの前記搬送を伴いながら記録手段からインクが付与されることによって記録が行われる記録媒体を保持するアダプタトレイであって、
前記記録媒体を保持するための保持領域と、前記保持領域に隣接する位置に配されたインクの吸収部と、を備えることを特徴とするアダプタトレイ。
【請求項１７】
前記アダプタトレイは、前記記録媒体を嵌め込み可能な嵌め込み部を有し、前記保持領域は前記嵌め込み部内の領域であることを特徴とする請求項１６に記載のアダプタトレイ。
【請求項１８】
前記吸収部は、前記保持領域の周囲に設けられていることを特徴とする請求項１６または１７に記載のアダプタトレイ。
【請求項１９】
前記アダプタトレイは、複数の記録媒体を保持するための前記保持領域を有し、
前記吸収部は、前記複数の記録媒体各々の保持領域の間に設けられていることを特徴とする請求項１６から１８のいずれか１項に記載のアダプタトレイ。
【請求項２０】
前記保持領域に保持された記録媒体を有することを特徴とする請求項１６から１９のいずれか１項に記載のアダプタトレイ。
【請求項２１】
前記保持領域は、前記アダプタトレイの一方の面の位置する第１保持領域に前記記録媒体を保持する第１保持部と、前記アダプタトレイの他方の面の位置する第２保持領域に前記記録媒体を保持する第２保持部と、を含み
前記吸収部は、前記第１保持領域および前記第２保持領域の少なくとも一方に隣接して位置する
ことを特徴とする請求項１６から２０のいずれか１項に記載のアダプタトレイ。
【請求項２２】
前記アダプタトレイは、縁なし記録の実施回数の情報を記録可能な情報記録部を備えることを特徴とする請求項１６から２１のいずれか１項に記載のアダプタトレイ。
【請求項２３】
前記情報記録部は、１つのアダプタトレイを用いて実施可能な前記縁なし記録の実施可能回数に関する情報と、前記１つのアダプタトレイを用いて実施された前記縁なし記録の実施回数に関する情報と、の記録が可能であることを特徴とする請求項２２に記載のアダプタトレイ。
【請求項２４】
前記情報記録部は、所定のサイズ記録領域を含み、
前記情報記録部は、前記縁なし記録を実施する毎に前記実施回数に関する情報を記録可能な記録領域を含み、
前記記録領域は、前記実施可能回数分の情報の記録が可能なサイズであることを特徴とする請求項２３に記載のアダプタトレイ。
【請求項２５】
前記情報記録部は、前記実施可能回数に関する情報が記録された記録領域を含み、
前記記録領域は、前記縁なし記録を実施する毎に前記実施回数に関する情報を記録可能な領域を含むことを特徴とする請求項２３に記載のアダプタトレイ。
【手続補正２】
【補正対象書類名】明細書
【補正対象項目名】発明の名称
【補正方法】変更
【補正の内容】
【発明の名称】トレイ、アダプタトレイ、記録装置、情報処理装置、記録方法、情報処理方法、および記憶媒体
【手続補正３】
【補正対象書類名】明細書
【補正対象項目名】０００１
【補正方法】変更
【補正の内容】
【０００１】
本発明は、インクによって画像が縁なし記録される記録媒体を保持するトレイ、そのトレイを用いる記録装置、情報処理装置、記録方法、情報処理方法、その情報処理方法を実行するためのプログラムコードが記憶された記憶媒体、およびアダプタトレイに関するものである。
【手続補正４】
【補正対象書類名】明細書
【補正対象項目名】０００６
【補正方法】変更
【補正の内容】
【０００６】
本発明の目的は、トレイに保持された記録媒体に対するインクによる縁なし記録に好適なトレイ、記録装置、記録方法、情報処理装置、情報処理方法、記憶媒体、およびアダプタトレイを提供することにある。
【手続補正５】
【補正対象書類名】明細書
【補正対象項目名】０００７
【補正方法】変更
【補正の内容】
【０００７】
本発明のトレイは、搬送手段による搬送を伴いながら記録手段からインクが付与されることによって記録が行われる記録媒体を保持可能なアダプタトレイを保持するためのトレイであって、前記記録媒体を保持可能な保持領域と、前記保持領域に隣接する位置に配されたインクの吸収部と、を有するアダプタトレイを、前記吸収部が前記記録手段側に露出するように着脱可能に保持するアダプタトレイ保持部を備えることを特徴とする。
【手続補正６】
【補正対象書類名】明細書
【補正対象項目名】０００９
【補正方法】変更
【補正の内容】
【０００９】
【図１】実施形態の情報処理装置の基本構成の説明図である。
【図２】実施形態の記録装置の基本構成の説明図である。
【図３】実施形態の情報処理装置と記録装置の基本構成を説明するための機能ブロック図である。
【図４】（ａ）は、実施形態のトレイの基本構成の説明図、（ｂ）は、情報処理装置の具体例の説明図である。
【図５】本発明の第１の実施形態におけるトレイの説明図である。
【図６】（ａ）は、本発明の第２の実施形態におけるトレイの説明図、（ｂ）は、本発明の第３の実施形態におけるトレイの説明図、（ｃ）は、本発明の第４の実施形態におけるトレイの説明図である。
【手続補正７】
【補正対象書類名】明細書
【補正対象項目名】００３０
【補正方法】変更
【補正の内容】
【００３０】
トレイ情報４０１は、記録装置において用いられるトレイに関する情報である。記録装置は、前述したように、記録媒体を嵌め込んだトレイを搬送して、その記録媒体に画像を記録する。トレイ情報４０１は、記録媒体のサイズ、形状、トレイに対する嵌め込み位置などに関する情報を含む。また、トレイ情報４０１は、トレイを判別するための情報をも含み、その情報に基づいて、情報処理装置１００は、使用するトレイを選択することができる。図４（ａ）は、ディスクレーベル専用のトレイ５００とカード専用トレイ５０１を示す。ディスクレーベル専用トレイ５００は、ＣＤやＤＶＤなどの記録領域が円形の記録媒体のためのトレイであり、領域５０２に記録媒体が嵌め込まれる。カード専用トレイ５０１は、カードや名刺などの記録領域が長方形の記録媒体用のトレイであり、領域５０３，５０４に記録媒体が嵌め込まれる。このような異なる形状の記録媒体に画像を記録するために用いられるトレイの種類は、ＩＤ番号などによってトレイ情報４０１として保持される。また、トレイ情報４０１として、トレイの種類に応じた記録可能領域のサイズ、嵌め込み可能な記録媒体の数、記録開始位置、および非記録可能領域などに関する情報も保持される。
【手続補正８】
【補正対象書類名】明細書
【補正対象項目名】００５４
【補正方法】変更
【補正の内容】
【００５４】
コート層９０１は、多孔性粒子系のコート紙素材とすることができる。多孔性粒子系のコート紙素材は、粒子間の隙間にインクを吸収して浸透させる素材である。コート層９０１にインクを吸収することで、アダプタトレイ８０４の表面におけるインクの膨潤を少なくすることができる。ベース層９０２は、木材または草などから抽出したパルプ、あるいは化学合成繊維などによるいわゆる印画紙とすることができる。ベース層９０２は、必ずしもインクを吸収する素材でなくてもよい。ベース層９０２は、記録媒体８０６が嵌め込まれる嵌め込み部８０５を形成するため、嵌め込まれた記録媒体８０６が大きく歪まないように、ある程度の強度をもつ素材、例えば、紙を重ねた積層構造の厚紙などによって形成する。アダプタトレイ８０４は、少なくとも１つ以上の記録媒体の嵌め込み部８０５を有すればよい。また、嵌め込み部８０５の周辺領域におけるアダプタトレイ８０４の表面の層は、インクを吸収可能な素材であればよく、本例の素材のみに限定されない。